(57)【要約】【課題】画素を複数のドメインから構成して視野角を補償することで、視野角特性を向上させ色変換を防止できるマルチドメイン横電界モード液晶表示装置を提供する。【解決手段】マルチドメイン横電界モード液晶表示装置は、複数の画素を定義する複数のゲートライン及びデータラインと、前記画素内に備えられた駆動装置と、前記画素内に実質的に平行に配置され横電界を形成する少なくとも一対の電極と、から構成され、前記画素は、互いに異なる方向の横電界が形成された少なくとも三つのドメインからなる。【選択図】図１
2005196118.tif 000002
【特許請求の範囲】
【請求項１】
第１基板に形成された複数のゲートラインとデータラインとにより定義され、第１領域と第２領域とに区分された画素と、
各画素に配置された駆動装置と、
前記第１領域及び第２領域内に実質的に平行に配列され横電界を生成し、第１領域及び第２領域の少なくとも一つの領域内で対称に折曲げされた少なくとも一対の電極と、
から構成された横電界モード液晶表示装置。
【請求項２】
データラインの延在する方向をＸ方向、ゲートラインの延在する方向をＹ方向としたとき、
前記第１領域は、
前記電極がX方向に対して設定角度で配置される第１ドメインと、
電極が前記第１ドメインに配置された電極とX方向を中心に対称に配置される第２ドメインと、
を含むことを特徴とする請求項１記載の横電界モード液晶表示装置。
【請求項３】
前記角度は、５〜４５゜であることを特徴とする請求項２記載の横電界モード液晶表示装置。
【請求項４】
前記第１領域の配向方向は、X方向に決定されることを特徴とする請求項３記載の横電界モード液晶表示装置。
【請求項５】
前記第２領域は、
前記電極がY方向に対して設定角度で配置される第３ドメインと、
電極が前記第３ドメインに配置された電極とY方向を中心に対称に配置される第４ドメインと、
を含むことを特徴とする請求項１記載の横電界モード液晶表示装置。
【請求項６】
前記角度は、５〜４５゜であることを特徴とする請求項５記載の横電界モード液晶表示装置。
【請求項７】
前記第２領域の配向方向は、Y方向に決定されることを特徴とする請求項６記載の横電界モード液晶表示装置。
【請求項８】
前記第２領域は、前記電極がY方向に沿って配置された第３ドメインを含むことを特徴とする請求項１記載の横電界モード液晶表示装置。
【請求項９】
前記第２領域の配向方向は、Y方向に対して所定角度に決定されることを特徴とする請求項８記載の横電界モード液晶表示装置。
【請求項１０】
前記角度は、５〜４５゜であることを特徴とする請求項９記載の横電界モード液晶表示装置。
【請求項１１】
前記第２領域は、前記電極がY方向に対して設定角度で配置される第３ドメインを含むことを特徴とする請求項１記載の横電界モード液晶表示装置。
【請求項１２】
前記角度は、５〜４５゜であることを特徴とする請求項１１記載の横電界モード液晶表示装置。
【請求項１３】
前記第２領域の配向方向は、Y方向に決定されることを特徴とする請求項１２記載の横電界モード液晶表示装置。
【請求項１４】
前記電極は、
共通電極と、
前記共通電極と実質的に平行に配列された画素電極と、
を含むことを特徴とする請求項１記載の横電界モード液晶表示装置。
【請求項１５】
前記駆動装置は、薄膜トランジスタを含むことを特徴とする請求項１記載の横電界モード液晶表示装置。
【請求項１６】
前記薄膜トランジスタは、
第１基板上に形成されたゲート電極と、
前記ゲート電極が形成された第１基板全体にわたって積層されたゲート絶縁層と、
前記絶縁層上に形成された半導体層と、
前記半導体層上に形成されたソース電極及びドレイン電極と、
前記ソース電極及びドレイン電極が形成された第１基板全体にわたって積層された保護層と、
からなることを特徴とする請求項１５記載の横電界モード液晶表示装置。
【請求項１７】
前記共通電極は第１基板に形成され、前記画素電極はゲート絶縁層に形成されたことを特徴とする請求項１６記載の横電界モード液晶表示装置。
【請求項１８】
前記画素電極は、金属からなることを特徴とする請求項１７記載の横電界モード液晶表示装置。
【請求項１９】
前記共通電極は、金属からなることを特徴とする請求項１７記載の横電界モード液晶表示装置。
【請求項２０】
前記共通電極は、透明電極からなることを特徴とする請求項１７記載の横電界モード液晶表示装置。
【請求項２１】
前記第１基板に形成され共通電極が接続される共通ラインと、
前記ゲート絶縁層に形成され画素電極が接続される画素電極ラインと、
をさらに含むことを特徴とする請求項１７記載の横電界モード液晶表示装置。
【請求項２２】
前記共通ラインと画素電極ラインとは、ゲート絶縁層を介してオーバーラップされて蓄積容量を形成することを特徴とする請求項２１記載の横電界モード液晶表示装置。
【請求項２３】
前記共通電極は第１基板に形成され、前記画素電極は保護層上に形成されたことを特徴とする請求項１６記載の横電界モード液晶表示装置。
【請求項２４】
前記画素電極は、透明電極からなることを特徴とする請求項２３記載の横電界モード液晶表示装置。
【請求項２５】
前記保護層には第１コンタクトホールが形成されて、画素電極とドレイン電極とが接続されることを特徴とする請求項２３記載の横電界モード液晶表示装置。
【請求項２６】
前記第１基板に形成され共通電極が接続される共通ラインと、
前記ゲート絶縁層上に形成され、保護層に形成された第２コンタクトホールにより画素電極と接続され、共通ラインとオーバーラップされて蓄積容量を形成する金属層と、
をさらに含むことを特徴とする請求項２３記載の横電界モード液晶表示装置。
【請求項２７】
前記共通電極及び画素電極は、保護層上に形成されることを特徴とする請求項１６記載の横電界モード液晶表示装置。
【請求項２８】
前記共通電極及び画素電極は、透明電極からなることを特徴とする請求項２７記載の横電界モード液晶表示装置。
【請求項２９】
カラーフィルタが形成された第２基板と、
前記第１基板及び第２基板間に形成された液晶層と、
をさらに含むことを特徴とする請求項１記載の横電界モード液晶表示装置。
【請求項３０】
複数の画素を定義する複数のゲートライン及びデータラインと、
前記画素内に備えられた駆動装置と、
前記画素内に実質的に平行に配置され横電界を形成する少なくとも一対の電極と、から構成され、
前記画素は、互いに異なる方向の横電界が形成された少なくとも三つのドメインからなることを特徴とする横電界モード液晶表示装置。
【請求項３１】
前記ドメインに形成された電極は、互いに異なる方向に配置されることを特徴とする請求項３０記載の横電界モード液晶表示装置。
【請求項３２】
少なくとも二つのドメインに配置された電極は、互いに対称であることを特徴とする請求項３１記載の横電界モード液晶表示装置。
【請求項３３】
各ドメインに形成される配向方向は、電極に対して５〜４５゜の角度に決定されることを特徴とする請求項３０記載の横電界モード液晶表示装置。
【請求項３４】
ゲートライン、データライン、画素電極及び該画素電極に対応して形成された共通電極が形成された第１基板、第２基板、該第１と第２基板との間の液晶部材及び該液晶を配向させる配向膜とからなる、複数の画素を含む横電界モード液晶表示装置において、
該画素各々は、少なくとも第１と第２の領域に区分され、該第１の領域の液晶と該第２の領域の液晶の配向方向が異なるような該配向膜特性を有している液晶表示装置。
【請求項３５】
請求項１に記載の液晶表示装置において、該画素電極と共通電極は該第１基板上の略同一水平面上に櫛歯状に延在しており、該第１の領域と第２の領域とでは櫛歯状に延在する電極の歯の方向は異なり、該液晶の配向方向は該櫛歯の延在方向に向いている液晶表示装置。
【発明の詳細な説明】
【技術分野】
【０００１】
本発明は、横電界モード液晶表示装置に関し、詳しくは、画素を三つ以上のマルチドメインに分割して視野角を補償することで視野角特性を向上できるマルチドメイン横電界モード液晶表示装置に関するものである。
【背景技術】
【０００２】
近来、携帯電話、PDA、ノートブックコンピュータのような各種の携帯用電子機器が発展するにつれて、これに適用できる軽量小型の平板表示装置に対する要求が次第に増大している。このような平板表示装置としては、液晶表示装置LCD(Liquid Crystal Display Device)、プラズマ表示装置PDP(Plasma Display Panel)、電界放出表示装置FED(Field Emission Display)、真空蛍光表示装置VFD(Vacuum Fluorescent Display)などが活発に研究されているが、量産化技術、駆動手段の容易性、高画質の実現という理由により、現在は液晶表示装置(LCD)が脚光を浴びている。
【０００３】
このような液晶表示装置は、液晶分子の配列によって多様な表示モードが存在するが、現在は、白黒表示が容易で且つ応答速度が速く駆動電圧が低いという利点により、主にねじれネマチックモード(Twisted Nematic Mode；TNモード)液晶表示装置が使用されている。このようなTNモード液晶表示装置においては、基板と水平に配向された液晶分子が電圧が印加されることによって基板とほぼ垂直に配向される。この場合、液晶分子の屈折率異方性により、電圧の印加時に視野角が狭くなるという問題があった。
【０００４】
このような視野角の問題を解決するために、近来、広視野角特性を有する各種モードの液晶表示装置が提案されているが、その中でも、横電界モード(In Plane Switching Mode；IPSモード)液晶表示装置が実際に量産に適用されて生産されている。このような横電界モード液晶表示装置は、電圧の印加時に平面状の横電界を形成して液晶分子を基板と平行に配向することで視野角特性を向上させたもので、図６にその基本的な概念を示す。
【０００５】
図６に示すように、従来の横電界モード液晶表示装置においては、配向方向を基板に形成されたゲートライン５、７の長手方向に対して所定角度になるようにして、液晶層３０の液晶分子３２を所定の方向に配向する。従って、電圧が印加されない場合、図６a及び図６bに示すように、液晶分子３２はラビング方向に沿って配向される。
【０００６】
しかし、このような従来の横電界モード液晶表示装置においては、視野角方向によって色相が変化するという問題があった。図６cに示すように、第１基板１０近傍の液晶分子３２aは、横電界３４によりゲートラインの長手方向と平行に配向され、第２基板２０近傍の液晶分子３２bは、ゲートラインの長手方向に対して９０゜より大きく１８０゜より小さい角度で配向されてねじれているので、図６dに示すように、X、Yの視野角方向においてそれぞれ青と黄が視野方向によって色変換が発生して画質が低下する。
【０００７】
このような問題を解決するために、図７に示す構造の横電界モード液晶表示装置装置が提案されている(大韓民国特許出願第１９９６-２３１１５号又は米国特許第６，６０８，６６２号)。図示するように、このような構造の横電界モード液晶表示装置装置は、ゲートライン１とデータライン３とにより定義される画素が二つのドメインに分割されている。即ち、画素の中央には、画素電極７が接続される画素電極ライン８及び共通電極５が接続される共通ライン６が配置されているが、前記画素電極ライン８及び共通ライン６を基準に画素が二つのドメインＩ、IIに分割されている。
【０００８】
前記画素内のゲートライン１とデータライン３が交差する領域には、ゲート電極１６、半導体層１７、ソース電極１８及びドレイン電極１９からなる薄膜トランジスタ１５が配置され、外部から入力されるデータ信号を画素電極７に印加し、データ信号が印加されることにより液晶層には横電界が生成される。
【０００９】
このような構造の横電界モード液晶表示装置装置において、ラビング方向はデータライン３に沿って形成され、画素の第１ドメインＩの共通電極５及び画素電極７の延長方向と、第２ドメインIIの共通電極５及び画素電極７の延長方向とが異なる。特に、共通電極５及び画素電極７は、ゲートライン１に対して斜めに形成され、第１ドメインＩと第２ドメインIIとの共通電極５及び画素電極７は、共通ライン６を中心に対称をなす。従って、前記第１ドメインＩ及び第２ドメインIIで色変換が互いに補償されて色変換が発生しなくなる。
【発明の開示】
【発明が解決しようとする課題】
【００１０】
しかしながら、このような２-ドメイン横電界モード液晶表示装置は、次のような問題がある。前述したように、画素を二つのドメインに分けて視野角を補償することによって視野角特性が向上し色変換を防止することができるが、このような視野角特性の向上には限界があった。実質的に、前記２-ドメイン横電界モード液晶表示装置をCRTと比較すると、視野角特性及び色変換に多くの問題があった。
【００１１】
本発明は、このような問題を解決するためのもので、画素を複数のドメインから構成して視野角を補償することで、視野角特性を向上させ色変換を防止できるマルチドメイン横電界モード液晶表示装置を提供することを目的とする。 
【課題を解決するための手段】
【００１２】
このような目的を達成するため、本発明に係る横電界モード液晶表示装置は、第１基板に形成された複数のゲートラインとデータラインとにより定義され、第１領域と第２領域とに区分された画素と、各画素に配置された駆動装置と、前記第１領域及び第２領域内に実質的に平行に配列され横電界を生成し、第１領域及び第２領域の少なくとも一つの領域内で対称に折曲された少なくとも一対の電極と、から構成される。
【００１３】
前記第１領域は、前記電極がX方向に対して設定角度で配置される第１ドメインと、電極が前記第１ドメインに配置された電極とX方向を中心に対称に配置される第２ドメインと、を含み、電極は５〜４５゜角度で配列され、配向方向はX方向に決定される。また、前記第２領域は、前記電極がY方向に対して設定角度で配置される第３ドメインと、電極が前記第３ドメインに配置された電極とY方向を中心に対称に配置される第４ドメインと、を含み、電極は５〜４５゜角度で配列され、配向方向はY方向に決定される。
【００１４】
共通電極は、第１基板や保護層に形成することができ、画素電極は、ゲート絶縁層や保護層に形成することができる。且つ、前記共通電極及び画素電極は、不透明な金属からなることもできるが、透明な電極からなることもできる。
【００１５】
本発明の横電界モード液晶表示装置は、ゲートライン、データライン、画素電極及び該画素電極に対応して形成された共通電極が形成された第１基板、第２基板、第１と第２基板との間の液晶部材及び該液晶を配向させる配向膜とからなる、複数の画素を含む横電界モード液晶表示装置であって、画素各々は、少なくとも第１と第２の領域に区分され、第１の領域の液晶と第２の領域の液晶の配向方向が異なるような該配向膜特性を有している。
【００１６】
そのような液晶表示装置において、画素電極と共通電極は第１基板上の略同一水平面上に櫛歯状に延在しており、第１の領域と第２の領域とでは櫛歯状に延在する電極の歯の方向は異なり、該液晶の配向方向は該櫛歯の延在方向に向いている。
【発明の効果】
【００１７】
本発明に係る横電界モード液晶表示装置においては、一つの画素を三つ以上のドメインに分割して視野角を補償することにより、視野角特性を向上させ色変換を防止できるという効果がある。
【発明を実施するための最良の形態】
【００１８】
本発明においては、画素を三つ以上のドメインに分割して視野角特性を向上させ色変換を防止する。従来の２-ドメイン横電界モード液晶表示装置に比べて、本発明に係るマルチドメイン横電界モード液晶表示装置においては、画素を従来よりさらに多くのドメインに分割するため、視野角の補償による視野角特性をさらに向上させることができる。特に、本発明においては、共通電極と画素電極をそれぞれ横方向及び縦方向に折曲げて配置することで三つ以上のドメインを形成する。
【００１９】
以下、本発明に係る横電界モード液晶表示装置について、図面を参照して詳しく説明する。
図１は、本発明の第１実施例による横電界モード液晶表示装置の構造を示す平面図である。実際に液晶表示装置は複数の画素を含んでいるが、説明の便宜のため図には一つの画素のみを示す。
【００２０】
図示するように、画素は、ゲートライン１０１とデータライン１０３とにより定義され、その内部には薄膜トランジスタ１１５が形成されている。前記薄膜トランジスタ１１５は、ゲートライン１０１と接続され走査信号が印加されるゲート電極１１６と、ゲート電極１１６上に形成され信号の印加により活性化してチャネルを形成する半導体層１１７と、半導体層１１７上に形成されたソース電極１１８及びドレイン電極１１９と、から構成される。
【００２１】
画素内には共通電極１０５と画素電極１０７が実質的に平行に櫛歯状に略同一水平面上に配置され、基板の表面と実質的に平行な横電界が共通電極と画素電極間に形成される。共通電極１０５は、画素の中央に配置された共通ライン１０６に接続され、画素電極１０７は、画素電極ライン１０８に接続されている。このとき、共通ライン１０６と画素電極ライン１０８は、オーバーラップした部分で蓄積容量を形成している。
【００２２】
一方、前記画素は、四つの領域に分割されている。共通ライン１０６及び画素電極ライン１０８を中心として、上部領域Aに配置される共通電極１０５a及び画素電極１０７aは、ゲートライン１０１の延長（長手）方向に沿って配置され、下部領域Bの共通電極１０５b及び画素電極１０７bは、データライン１０３の延長（長手）方向に沿って配置される。
【００２３】
且つ、A領域及びB領域に配置された共通電極１０５a、１０５b及び画素電極１０７a、１０７bは、所定角度で折曲されている。即ち、第１ドメインＩに配置された共通電極１０５a及び画素電極１０７aと、第２ドメインIIに配置された共通電極１０５a及び画素電極１０７aとが所定角度を形成し、第３ドメインIIIに配置された共通電極１０５b及び画素電極１０７bと、第４ドメインIVに配置された共通電極１０５b及び画素電極１０７bとが所定角度を形成するようになっている。
【００２４】
このように、共通電極１０５a、１０５b及び画素電極１０７a、１０７bが所定角度で折曲されて形成されることにより、画素が四つのドメインＩ、II、III、IVから構成される。このとき、ゲートライン１０１及びデータライン１０３は、前記共通電極１０５a、１０５b及び画素電極１０７a、１０７bと同じ角度で折曲げて、X、Y方向に延長して形成することもできる。
【００２５】
図示するように、A領域に形成された配向膜には、X方向に配向方向が決定され、第１ドメインＩ及び第２ドメインIIの共通電極１０５a及び画素電極１０７aは、それぞれX方向を中心に所定角度(約５〜４５゜)で対称をなすので、前記画素電極１０７aに電圧が印加されて横電界が形成される場合、第１ドメインＩの液晶分子と第２ドメインIIの液晶分子とが反対方向にねじれるため、結局、第１ドメインＩと第２ドメインIIにおける視野角方向が補償される。
【００２６】
また、B領域に形成された配向膜には、Y方向に配向方向が決定され、第３ドメインIII及び第４ドメインIVの共通電極１０５b及び画素電極１０７bは、それぞれY方向を中心に所定角度(約５〜４５゜)で対称をなすので、画素電極１０７bに電圧が印加されて横電界が形成される場合、第３ドメインIIIの液晶分子と第４ドメインIVの液晶分子とが反対方向にねじれるため、結局、第３ドメインIIIと第４ドメインIVにおける視野角方向が補償される。
【００２７】
このように、本発明においては、画素が四つのドメインＩ、II、III、IVから構成され、共通電極１０５a、１０５bと画素電極１０７a、１０７bは、A領域及びB領域でそれぞれ対称に配列される。且つ、A領域とB領域とは、互いに異なる配向方向、即ち、実質的に垂直な配向方向を有する。
【００２８】
このとき、A領域及びB領域の配向方向は、一般に知られているラビングや光配向方法またはイオン配向方法を用いて形成することができる。また、画素のＡ領域とＢ領域に同じ配向膜を積層し、A領域とB領域とを別々に配向処理することでA領域及びB領域に互いに垂直な配向方向を形成することができる。又、A領域とB領域とに互いに異なる配向物質、即ち、同一の配向処理により互いに垂直な配向方向が形成される配向物質(配向処理方向と水平な配向方向が決定される配向物質と、配向処理方向と垂直な配向方向が決定される配向物質)を積層した後、１回の配向処理により配向方向を形成することもできる。１つの画素内に異なる方向の配向を形成する手法の具体的な一例では、第１の配向方向に関し、形成した配向膜（層）の第２の領域に絶縁層を付着して第２の領域をブロックし、第２の領域がブロックされている配向層をラビングにより第１の方向に配向処理する。このラビング処理で一画素内の第１の領域についてのみ第１の方向に配向がなされる。それから第２の領域の絶縁層を除去した後、絶縁層を配向膜の第１の領域に付着させ、第１の領域をブロックした状態で、形成されている配向膜を第２の方向にラビング処理し、第２の領域のみ第２の方向の配向をなさしめる。最後に絶縁層を全て除去することで、一画素内の第１と第２の領域で異なる方向の配向特性の配向膜１１３、１２３（図２、図３ａ−図３ｃ）が実現される。
【００２９】
以下、このように構成された横電界モード液晶表示装置装置について、図２を参照してより詳しく説明する。図２に示すように、ガラスのような透明な物質からなる第１基板１３０上には、薄膜トランジスタ１１５のゲート電極１１６及び共通電極１０５が形成され、第１基板１３０全体にわたってゲート絶縁層１３２が積層されている。また、前記ゲート絶縁層１３２上には半導体層１１７が形成され、その上にソース電極１１８及びドレイン電極１１９が形成されている。且つ、ゲート絶縁層１３２上には、前記共通電極１０５と実質的に平行に配置された画素電極１０７が形成されている。
【００３０】
共通電極１０５及び薄膜トランジスタ１１５のゲート電極１１６は、Cu、Mo、Ta、Cr、Ti、AlまたはAl合金のような金属をスパッタリングや蒸着方法により積層しエッチングすることで形成された単一層または複数の層で、画素電極１０７、ソース電極１１８及びドレイン電極１１９は、Cr、Mo、Ta、Cu、Ti、AlまたはAl合金のような金属をスパッタリングや蒸着方法により積層しエッチングすることで形成された単一層または複数の層である。
【００３１】
一方、第１基板１３０と対向する第２基板１４０には、画素と画素間または薄膜トランジスタ領域から光が漏洩することを防止するためのブラックマトリックス１４２、及び実際にカラーを実現するためのカラーフィルタ層１４４が形成され、第１基板１３０と第２基板１４０間に液晶が注入されて液晶層１５０が形成される。
【００３２】
前記第１基板１３０及び第２基板１４０には、液晶を配向するための配向膜１１３、１２３が積層され、カラーフィルタ層１４４上には、カラーフィルタ層１４４を保護し第２基板１４０の平坦性を向上させるためのオーバーコート層が形成されることもできる。
【００３３】
図２においては、共通電極１０５及び画素電極１０７が不透明な金属からなりそれぞれ第１基板１３０及びゲート絶縁層１３２に形成されているが、本発明はこのような構造からなるものに限定されることなく、多様な構造からなることができる。図３a〜図３cは、本発明の第１実施例による横電界モード液晶表示装置の他の例を示すものである。ここで、共通電極１０５及び画素電極１０７の平面配置は、図１に示す構造からなる。
【００３４】
図３aに示す横電界モード液晶表示装置においては、共通電極１０５は、第１基板１３０上にCu、Mo、Ta、Cr、Ti、AlまたはAl合金のような不透明な金属からなり、画素電極１０７は、保護層１３４上にITO(Indium Tin Oxide)やIZO(Indium Zinc Oxide)のような透明電極からなる。このような構造では、薄膜トランジスタ１１５のドレイン電極１１９と画素電極１０７とを接続させるために、保護層１３４にコンタクトホールを形成すべきである。且つ、画素電極ライン１０８も透明電極からなり、保護層１３４上に配置される。従って、図示していないが、このような構造では、ゲート絶縁層１３２上に、保護層１３４のコンタクトホールにより画素電極１０７と接続される蓄積容量用金属層を共通ライン１０６とオーバーラップするように形成することで、所望の蓄積容量を形成すべきである。
【００３５】
図３bに示す構造では、共通電極１０５をITOやIZOから形成して第１基板１３０上に配置し、図３cに示す構造では、共通電極１０５及び画素電極１０７共にITOやIZOから形成して保護層１３４上に配置した。前述したように、共通電極１０５及び/または画素電極１０７を透明電極から形成することによって、横電界モード液晶表示装置の開口率が向上し輝度が高くなる。図３ａ−図３ｃにおいて、配向膜１１３、１２３が形成されている。
【００３６】
前述したように、第１実施例の横電界モード液晶表示装置においては、画素が四つのドメインに分割され、各ドメインの視野角が隣接するドメインの視野角により補償されるので、視野角特性を大幅に向上させるだけでなく、色変換を效果的に防止することができる。
【００３７】
図４は、本発明の第２実施例による横電界モード液晶表示装置の構造を示す図である。第２実施例の横電界モード液晶表示装置の構造は、第１実施例の液晶表示装置の構造と類似するので、同一構成については説明を省略し異なる構成についてのみ説明する。
【００３８】
図４に示すように、第２実施例の横電界モード液晶表示装置は、画素が三つのドメインから構成されている。即ち、共通ライン２０６及び画素電極ライン２０８を中心に区分されたA領域には、ゲートライン２０１に沿って共通電極２０５a及び画素電極２０７aが所定角度で折曲されて配置され、B領域には、データライン２０３に沿って共通電極２０５b及び画素電極２０７bが配置されている。このとき、A領域の第１ドメインＩ及び第２ドメインIIに配置される共通電極２０５a及び画素電極２０７aは対称に形成され、X方向に対して約５〜４５゜の角度で延長される。また、B領域の共通電極２０５b及び画素電極２０７bは、データライン２０３と並行にY方向に沿って配置される。
【００３９】
A領域の配向方向はX方向に沿って形成されるので、画素電極２０７aに電圧が印加される場合、第１ドメインＩと第２ドメインIIとの液晶分子は互いに反対方向にねじれる。また、B領域の配向方向は、Y方向に対して所定角度(約５〜４５゜)で形成される。
【００４０】
第２実施例の横電界モード液晶表示装置においては、画素が三つのマルチドメインに分割されるため、視野角補償効果が従来の２-ドメイン横電界モード液晶表示装置に比べて大きくなり、その結果、視野角特性が大幅に向上し色が変化することを效果的に防止することができる。一方、第２実施例の構造は、図２及び図３a〜図３cに示す構造を全て含む。即ち、共通電極及び画素電極は、不透明な金属または透明な電極から形成することができ、その位置も第１基板、ゲート絶縁層または保護層上に形成することができる。
【００４１】
図５は、本発明の第３実施例による横電界モード液晶表示装置の構造を示す図である。説明の便宜のため、従来と異なる構成についてのみ説明する。
図５に示すように、第３実施例の横電界モード液晶表示装置は、第２実施例の横電界モード液晶表示装置と殆ど類似した構造からなっている。即ち、画素が三つのドメインからなり、A領域には、X方向に対して互いに対称(約５〜４５゜の角度で)に共通電極３０５a及び画素電極３０７aが形成され、配向方向はX方向である。第３実施例と第２実施例とは、第３ドメインIII、即ち、B領域の共通電極３０５b及び画素電極３０７bの延長方向及び配向方向にその差がある。図示するように、第３実施例においては、B領域の共通電極３０５b及び画素電極３０７bは、Y方向に対して５〜４５゜の角度で配置され、配向方向はY方向である。
【００４２】
このように、第３実施例の横電界モード液晶表示装置においては、一つの画素を三つのドメインから構成することによって視野角が補償され、その結果、視野角特性が向上し色変換を防止することができる。
前述したように、本発明においては、一つの画素を複数のドメイン、特に、三つ以上のドメインから構成する。前述した実施例は、本発明を説明するために例示されたもので、本発明の権利範囲を限定するものではない。図示していないが、本発明は多様な構造のマルチドメインを含む。
【００４３】
例えば、図１に示すA領域の共通電極及び画素電極をB領域に配置(即ち、B領域の共通電極及び画素電極をゲートラインに沿って配置)し、B領域の共通電極及び画素電極をA領域に配置(即ち、A領域の共通電極及び画素電極をデータラインに沿って配置)することができる。且つ、図４及び図５に示す実施例においては、A領域とB領域の共通電極及び画素電極を取り替えて配置することもできる。
従って、本発明の権利範囲は前述した詳細な説明により決定されるのでなく、添付の特許請求の範囲により決定されるべきである。
【図面の簡単な説明】
【００４４】
【図１】本発明の第１実施例による横電界モード液晶表示装置の構造を示す平面図である。
【図２】図１のI-I'線断面図である。
【図３ａ】本発明に係る横電界モード液晶表示装置の他の構造を示す図である。
【図３ｂ】本発明に係る横電界モード液晶表示装置のさらに他の構造を示す図である。
【図３ｃ】本発明に係る横電界モード液晶表示装置のさらに他の構造を示す図である。
【図４】本発明の第２実施例による横電界モード液晶表示装置の構造を示す平面図である。
【図５】本発明の第３実施例による横電界モード液晶表示装置の構造を示す平面図である。
【図６ａ】従来の横電界モード液晶表示装置の基本的な駆動方法を示す図である。
【図６ｂ】従来の横電界モード液晶表示装置の基本的な駆動方法を示す図である。
【図６ｃ】従来の横電界モード液晶表示装置の基本的な駆動方法を示す図である。
【図６ｄ】従来の横電界モード液晶表示装置の基本的な駆動方法を示す図である。
【図７】従来の２-ドメイン横電界モード液晶表示装置の構造を示す平面図である。
【符号の説明】
【００４５】
１０１  ゲートライン
１０３  データライン
１０５  共通電極
１０６  共通ライン
１０７  画素電極
１０８  画素電極ライン
１１５  薄膜トランジスタ
１１６  ゲート電極
１１７  半導体層
１１８  ソース電極
１１９  ドレイン電極
１３０、１４０  基板
１３２  ゲート絶縁層
１３４  保護層
１４４  カラーフィルタ層
１５０  液晶層
【図１】
2005196118.tif 000003
【図２】
2005196118.tif 000004
【図３ａ】
2005196118.tif 000005
【図３ｂ】
2005196118.tif 000006
【図３ｃ】
2005196118.tif 000007
【図４】
2005196118.tif 000008
【図５】
2005196118.tif 000009
【図６ａ】
2005196118.tif 000010
【図６ｂ】
2005196118.tif 000011
【図６ｃ】
2005196118.tif 000012
【図６ｄ】
2005196118.tif 000013
【図７】
2005196118.tif 000014